(57)【要約】      （修正有）【課題】任意の形状の内容物を、箱体の開封時に安定してせり上げることができる箱用シートセットを提供する。【解決手段】箱用シートセットは、１枚のシート材から形成され、箱体４に組立可能な箱用シートと、箱体４の内部に配置されるパッド２と、箱体４及びパッド２を連結する連結部材３とを備え、箱用シートが、左右方向に交互に連接され、四角筒状に組み立てられる一対の長さ面パネル１１及び一対の幅面パネル１２と、一対の長さ面パネル１１の上縁から延出する一対の蓋外フラップ１３と、一対の幅面パネル１２の上縁から延出し、連結部材３が連結される一対の蓋内フラップ１４と、底部４２を形成する１又は複数の底フラップとを有し、パッド２が、箱体４の内部に配置された配置状態において底部４２と平行に配置されるパッド本体２１を有し、蓋内フラップ１４の開閉により昇降する。【選択図】図３
0003231134.tif 000002
【実用新案登録請求の範囲】
【請求項１】
１枚のシート材から形成され、箱体に組立可能な箱用シートと、
上記箱体の内部に配置されるパッドと、
上記箱体及び上記パッドを連結する連結部材と
を備え、
上記箱用シートが、
左右方向に交互に連接され、四角筒状に組み立てられる一対の長さ面パネル及び一対の幅面パネルと、
上記一対の長さ面パネルの上縁から延出する一対の蓋外フラップと、
上記一対の幅面パネルの上縁から延出し、上記連結部材が連結される一対の蓋内フラップと、
底部を形成する１又は複数の底フラップと
を有し、
上記パッドが、上記箱体の内部に配置された配置状態において、上記底部と平行に配置されるパッド本体を有し、上記蓋内フラップの開閉により昇降する箱用シートセット。
【請求項２】
上記パッド本体が方形状であり、
上記配置状態において、上記パッド本体の対向する一対の側縁が、上記一対の幅面パネルに当接する請求項１に記載の箱用シートセット。
【請求項３】
上記パッドが、上記パッド本体の対向する他の一対の側縁から延出し、上方へ折り曲げられる一対の摺動片を有し、
上記配置状態において、上記一対の摺動片の一方の面が、上記一対の長さ面パネルに当接する請求項２に記載の箱用シートセット。
【請求項４】
上記連結部材が、紐である請求項１、請求項２又は請求項３に記載の箱用シートセット。
【請求項５】
上記蓋内フラップが、その先端部に上記紐を貫通させる一対の第１貫通孔を有し、
上記一対の第１貫通孔が上記蓋内フラップの先端縁に平行に配置されており、
上記パッド本体が、上記配置状態において、上記蓋内フラップに隣接する側の端部のそれぞれに上記一対の第１貫通孔と平行に配置される一対の第２貫通孔を有し、
配置される両端間で、上記一対の第２貫通孔が、上記長さ面パネルと平行な方向に対向している請求項４に記載の箱用シートセット。
【考案の詳細な説明】
【技術分野】
【０００１】
本考案は、箱用シートセットに関する。
【背景技術】
【０００２】
箱体に梱包された内容物の取り出し易さや、箱体に梱包されたギフト用商品の開封時の演出として、蓋部を開封すると、内容物がせり上がってくる箱体（梱包装置）が知られている（例えば実開昭５７−６７６７号公報参照）。
【０００３】
この梱包装置では、天面フラップの一方の固定点から、箱体に梱包されている個装ケースの一方の側面、底面、及び他方の側面を通って、他方の天面フラップの固定点まで紐が連絡されている。上記梱包装置では、天面フラップを閉じた際に、個装ケースが底まで挿入された状態となるように紐の長さが調整されている。そして、天面フラップを開けると、紐により個装ケースが持ち上げられ、個装ケースが箱体の外部へせり上がってくる。
【先行技術文献】
【特許文献】
【０００４】
【特許文献１】実開昭５７−６７６７号公報
【考案の概要】
【考案が解決しようとする課題】
【０００５】
上記梱包装置では、紐により個装ケースを直接持ち上げる構成であるため、内容物の形状によっては安定して持ち上げることが難しい。また、天面フラップを閉じた状態で生じる突き合わせ間の隙間より幅の大きい内容物を持ち上げることが難しい。このように上記梱包装置では、せり上げることができる内容物の制約がある。
【０００６】
本考案は、このような事情に鑑みてなされたものであり、任意の形状の内容物を、箱体の開封時に安定してせり上げることができる箱用シートセットの提供を課題とする。
【課題を解決するための手段】
【０００７】
本考案の一態様に係る箱用シートセットは、１枚のシート材から形成され、箱体に組立可能な箱用シートと、上記箱体の内部に配置されるパッドと、上記箱体及び上記パッドを連結する連結部材とを備え、上記箱用シートが、左右方向に交互に連接され、四角筒状に組み立てられる一対の長さ面パネル及び一対の幅面パネルと、上記一対の長さ面パネルの上縁から延出する一対の蓋外フラップと、上記一対の幅面パネルの上縁から延出し、上記連結部材が連結される一対の蓋内フラップと、底部を形成する１又は複数の底フラップとを有し、上記パッドが、上記箱体の内部に配置された配置状態において上記底部と平行に配置されるパッド本体を有し、上記蓋内フラップの開閉により昇降する。
【考案の効果】
【０００８】
本考案の箱用シートセットを用いることで、任意の形状の内容物を、箱体の開封時に安定してせり上げることができる。
【図面の簡単な説明】
【０００９】
【図１】図１は、本考案の一実施形態に係る箱用シートセットのうち箱用シートを示す模式的平面図（展開図）である。
【図２】図２は、本考案の一実施形態に係る箱用シートセットのうちパッドを示す模式的平面図（展開図）である。
【図３】図３は、図１及び図２の箱用シートセットの配置状態を示す模式的斜視図である。
【図４】図４は、図３の箱体の梱包時を示す模式的断面図である。
【図５】図５は、図３の箱体の開封時を示す模式的断面図である。
【図６】図６は、図１とは異なる箱用シートセットのうち箱用シートを示す模式的平面図（展開図）である。
【図７】図７は、図２とは異なる箱用シートセットのうちパッド及び連結部材を示す模式的平面図（展開図）である。
【図８】図８は、図６及び図７の箱用シートセットの配置状態を示す模式的斜視図である。
【考案を実施するための形態】
【００１０】
［本考案の実施形態の説明］
最初に本考案の実施態様を列記して説明する。
【００１１】
本考案の一態様に係る箱用シートセットは、１枚のシート材から形成され、箱体に組立可能な箱用シートと、上記箱体の内部に配置されるパッドと、上記箱体及び上記パッドを連結する連結部材とを備え、上記箱用シートが、左右方向に交互に連接され、四角筒状に組み立てられる一対の長さ面パネル及び一対の幅面パネルと、上記一対の長さ面パネルの上縁から延出する一対の蓋外フラップと、上記一対の幅面パネルの上縁から延出し、上記連結部材が連結される一対の蓋内フラップと、底部を形成する１又は複数の底フラップとを有し、上記パッドが、上記箱体の内部に配置された配置状態において上記底部と平行に配置されるパッド本体を有し、上記蓋内フラップの開閉により昇降する。
【００１２】
当該箱用シートセットは、箱用シートを組み立ててなる箱体の内部にパッドが配置され、パッド本体が上記箱用シートの底部に平行に配置される。また、当該箱用シートセットは、上記パッドが連結部材により一対の蓋内フラップに連結され、蓋内フラップの開閉に応じて上記パッドが昇降するように構成されている。従って、当該箱用シートセットを用いることで、上記パッド本体上に載置した任意の内容物を、箱体の開封時に安定してせり上げることができる。
【００１３】
上記パッド本体が方形状であり、上記配置状態において、上記パッド本体の対向する一対の側縁が、上記一対の幅面パネルに当接するとよい。このように上記パッド本体の対向する一対の側縁を上記一対の幅面パネルに当接させることで、上記パッド本体を安定して昇降させることができる。
【００１４】
上記パッドが、上記パッド本体の対向する他の一対の側縁から延出し、上方へ折り曲げられる一対の摺動片を有し、上記配置状態において、上記一対の摺動片の一方の面が、上記一対の長さ面パネルに当接するとよい。このように上記一対の摺動片の一方の面を上記一対の長さ面パネルに当接させることで、この摺動片が上記パッド本体をガイドし、上記パッド本体をさらに安定して昇降させることができる。
【００１５】
上記連結部材が、紐であるとよい。紐は可撓性を有しており、一対の蓋内フラップの開閉の障害となり難い。このため、上記連結部材を紐とすることで、一対の蓋内フラップのスムーズな開閉、ひいては上記パッド本体のスムーズな昇降を実現できる。
【００１６】
上記蓋内フラップが、その先端部に上記紐を貫通させる一対の第１貫通孔を有し、上記一対の第１貫通孔が上記蓋内フラップの先端縁に平行に配置されており、上記パッド本体が、上記配置状態において、上記蓋内フラップに隣接する側の端部のそれぞれに上記一対の第１貫通孔と平行に配置される一対の第２貫通孔を有し、配置される両端間で、上記一対の第２貫通孔が、上記長さ面パネルと平行な方向に対向しているとよい。このように第１貫通孔及び第２貫通孔を配置することで、上記パッド本体を水平に保ち易くすることができるので、上記パッド本体をさらに安定して昇降させることができる。
【００１７】
なお、本考案において、「左右方向」とは、箱用シートを組み立ててなる箱体の想定される一般的な使用態様における水平方向を意味し、「上」及び「下」とは、想定される一般的な使用態様における上下を意味するが、上記箱体の使用時の向きを制限することを企図するものではない。また、「内」及び「外」は、それぞれ箱体の内側及び外側を指す。
【００１８】
［本考案の実施形態の詳細］
以下、本考案の実施形態に係る箱用シートセットについて適宜図面を参照しつつ説明する。
【００１９】
本考案の一態様に係る箱用シートセットは、図１に示す１枚のシート材から形成される箱用シート１と、図２に示すパッド２と、図３に示す連結部材３とを備える。図３に示すように、箱用シート１は、箱体４に組立可能であり、パッド２は、箱体４の内部に配置される。また、連結部材３は、箱体４及びパッド２を連結する。
【００２０】
＜箱用シート＞
箱用シート１を形成するシート材としては、例えば段ボールシート、プラスチックボード、ボール紙等を用いることができ、中でも段ボールシートが好適に用いられる。以下、箱用シート１が段ボールシートからなる場合を例にとり説明するが、上記シート材が段ボールシートに限定されることを企図するものではない。
【００２１】
上記ダンボールシートとしては、１枚の中芯の両側を一対のライナーで挟み込んだものだけでなく、３枚のライナーの間にそれぞれ中芯が挟み込まれたいわゆるダブルフルートであってもよく、あるいは中芯の片側にのみライナーが貼着されたいわゆる片面段ボールであってもよい。
【００２２】
上記シート材の厚さの下限としては、強度の観点から、３ｍｍが好ましい。一方、シート材の厚さの上限としては、特に限定されないが、箱体４への組立の容易性から８ｍｍが好ましい。
【００２３】
箱用シート１は、左右方向（図１のｘ方向）に交互に連接され、四角筒状に組み立てられる一対の長さ面パネル１１及び一対の幅面パネル１２と、一対の長さ面パネル１１の上縁から延出する一対の蓋外フラップ１３と、一対の幅面パネル１２の上縁から延出する一対の蓋内フラップ１４と、底部４２を形成する複数（４枚）の底フラップ（一対の長さ面パネル１１の下縁から延出する一対の底外フラップ１５、及び一対の幅面パネル１２の下縁から延出する一対の底内フラップ１６）と、糊代部１７とを有する。
【００２４】
（長さ面パネル及び幅面パネル）
長さ面パネル１１と幅面パネル１２とは略方形状である。また、一対の長さ面パネル１１は同等の大きさとされ、一対の幅面パネル１２は同等の大きさとされる。
【００２５】
長さ面パネル１１の上下方向長さ（図１のｙ方向の長さ）と、幅面パネル１２の上下方向長さとは等しい。また、長さ面パネル１１の左右方向長さ（図１のｘ方向の長さ）は、幅面パネル１２の左右方向長さ以上である。
【００２６】
長さ面パネル１１及び幅面パネル１２の上下方向長さ、長さ面パネル１１の左右方向の長さ、並びに幅面パネル１２の左右方向の長さは、箱用シート１により組み立てられる箱体４に収容が想定される内容物の大きさや個数に対応できるように適宜決定される。
【００２７】
（蓋外フラップ及び蓋内フラップ）
一対の蓋外フラップ１３及び一対の蓋内フラップ１４は、略方形状であり、箱用シート１を組み立ててなる箱体４の上部開口を閉塞可能に構成している。つまり、一対の蓋外フラップ１３及び一対の蓋内フラップ１４は、組立時に、それぞれ延出する長さ面パネル１１及び幅面パネル１２に対して内側へ直角に折り曲げられ、蓋内フラップ１４が内側となるように重ね合わされて箱体４の蓋部４１（図４参照）を形成することができる。
【００２８】
一対の蓋外フラップ１３は、先端縁同士を突き合わせられるように構成されている。それぞれの蓋外フラップ１３の延出方向長さ（図１のｙ方向の長さ）は、例えば幅面パネル１２の左右方向の長さの１／２とされる。
【００２９】
一方、蓋内フラップ１４の延出方向長さは、特に限定されないが、蓋外フラップ１３の長さと同等とできる。
【００３０】
蓋外フラップ１３及び蓋内フラップ１４の左右方向の長さ（図１のｘ方向の長さ）は、特に限定されないが、それぞれ延出する長さ面パネル１１及び幅面パネル１２の左右方向の長さと同等とすることが好ましい。
【００３１】
蓋内フラップ１４は、その先端部に後述する連結部材３を構成する紐３１を貫通させる一対の第１貫通孔１４ａを有する。一対の第１貫通孔１４ａは、蓋内フラップ１４の先端縁に平行に配置されている。第１貫通孔１４ａの形状は特に限定されないが、例えば図１に示すように円形状とすることができる。
【００３２】
（底外フラップ及び底内フラップ）
一対の底外フラップ１５及び一対の底内フラップ１６は、略方形状であり、箱体４の下部開口を閉塞可能に構成している。つまり、一対の底外フラップ１５及び一対の底内フラップ１６は、組立時に、それぞれ延出する長さ面パネル１１及び幅面パネル１２に対して内側へ直角に折り曲げられ、底内フラップ１６が内側となるように重ね合わされて箱体４の底部４２を形成することができる。
【００３３】
箱体４の底部４２を閉塞可能に構成されている点を除き、一対の底外フラップ１５及び一対の底内フラップ１６は、一対の蓋外フラップ１３及び一対の蓋内フラップ１４と同様に構成できるので、詳細説明を省略する。
【００３４】
（糊代部）
糊代部１７は、左右方向に交互に連接される一対の長さ面パネル１１及び一対の幅面パネル１２で構成される帯状体の側端に設けられている。図１の箱用シート１では、糊代部１７は、長さ面パネル１１に設けられている。糊代部１７は、上記帯状体の他方の側端と当接可能に構成されている。この当接部分を上記帯状体の他方の側端に貼着することで一対の長さ面パネル１１及び一対の幅面パネル１２を無端状とできる。あるいは、貼着に代えてワイヤー接合等により結合してもよい。
【００３５】
糊代部１７は方形状とすることもできるが、台形状であることが好ましい。具体的には、糊代部１７は、その一対の側辺が上記帯状体から遠ざかるに従って内側へ傾斜する等脚台形状であるとよい。このように糊代部１７を等脚台形状とすることで、箱用シート１を箱体４に組み立てた際に、糊代部１７の側縁付近での貼着強度を維持しつつ、糊代部１７の側縁が蓋内フラップ１４や底内フラップ１６と干渉することを抑止できる。
【００３６】
＜パッド＞
パッド２は、１枚のシート材から形成することができる。そのシート材としては、箱用シート１を形成するシート材と同様のものを用いることができる。
【００３７】
パッド２は、図２に示すように、パッド本体２１と、一対の摺動片２２とを有する。
【００３８】
（パッド本体）
パッド本体２１は、方形状である。なお、「方形状」には、完全な方形に限らず、部分的に凹凸を有する形状や、切り欠きを有する形状を含むものとする。
【００３９】
パッド本体２１は、箱体４の内部に配置された配置状態において、箱体４の底部４２と平行に配置され、蓋内フラップ１４の開閉により昇降する。
【００４０】
図３に示すように、上記配置状態において、パッド本体２１の対向する一対の側縁２１ａは、一対の幅面パネル１２に当接する。このようにパッド本体２１の対向する一対の側縁２１ａを一対の幅面パネル１２に当接させることで、パッド本体２１を安定して昇降させることができる。
【００４１】
また、パッド本体２１の対向する他の一対の側縁２１ｂは、一対の長さ面パネル１１に当接する。つまり、パッド本体２１の大きさは、箱体４の底部４２と等しい。このようにパッド本体２１の大きさを箱体４の底部４２の大きさと等しくすることで、パッド本体２１の昇降時に、このパッド本体２１の上面に載置された内容物が落下することを抑止できる。
【００４２】
一方、パッド本体２１の大きさが、箱体４の底部４２と等しい場合、その大きさの僅かな差により側面（長さ面パネル１１又は幅面パネル１２）に強く接し、圧縮力を受ける部分があると、パッド本体２１の安定した昇降を妨げ易い。このため、図２に示すパッド本体２１では、一対の幅面パネル１２に当接する一対の側縁２１ａ上に凹部２１ｃが複数設けられている。このような凹部２１ｃを設けることで、パッド本体２１に圧縮力が加わった場合、凹部２１ｃが緩衝部として機能して、パッド本体２１の安定した昇降を確保することができる。凹部２１ｃの大きさや個数、その位置は、凹部２１ｃが緩衝部として機能する限り、特に限定されない。
【００４３】
パッド本体２１は、上記配置状態において、蓋内フラップ１４に隣接する側の端部のそれぞれに蓋内フラップ１４の一対の第１貫通孔１４ａと平行に配置される一対の第２貫通孔２１ｄを有し、配置される両端間で、一対の第２貫通孔２１ｄが、長さ面パネル１１と平行な方向に対向している。この第２貫通孔２１ｄは、後述する紐３１を貫通させる孔として用いられる。このように蓋内フラップ１４の第１貫通孔１４ａ及び第２貫通孔２１ｄを配置することで、パッド本体２１を水平に保ち易くすることができるので、パッド本体２１をさらに安定して昇降させることができる。第２貫通孔２１ｄの形状は特に限定されないが、例えば図２に示すように円形状とすることができる。
【００４４】
（摺動片）
一対の摺動片２２は、パッド本体２１の対向する他の一対の側縁２１ｂから延出し、図３に示すように、上方へ折り曲げられて用いられる。
【００４５】
図３に示すように、上記配置状態において、一対の摺動片２２の一方の面が、一対の長さ面パネル１１に当接する。このように一対の摺動片２２の一方の面を一対の長さ面パネル１１に当接させることで、この摺動片２２がパッド本体２１をガイドし、パッド本体２１をさらに安定して昇降させることができる。
【００４６】
摺動片２２は、例えば方形状とすることができる。図２に示すように、パッド本体２１と対向する側縁の両端が丸められているとよい。また、摺動片２２は、他の一対の側縁２１ｂの一部から延出する構成としてもよいが、図２に示すように、他の一対の側縁２１ｂの全体から延出しているとよい。
【００４７】
パッド本体２１の他の一対の側縁２１ｂからの摺動片２２の延出距離は、特に限定されるものではないが、例えば１ｃｍ以上５ｃｍ以下とできる。上記延出距離が上記下限未満であると、パッド本体２１のガイド機能が十分に発揮されないおそれがある。逆に、上記延出距離が上記上限を超えると、長さ面パネル１１との摩擦が大きくなり過ぎ、パッド本体２１が昇降し難くなるおそれや、蓋内フラップ１４を開けた際に、摺動片２２が箱体４から突出して、邪魔になるおそれがある。
【００４８】
＜連結部材＞
連結部材３は、一対の蓋内フラップ１４とパッド本体２１とを連結する。当該箱用シートセットでは、連結部材３は、２本の紐３１である。紐３１は可撓性を有しており、一対の蓋内フラップ１４の開閉の障害となり難い。このため、連結部材３を紐３１とすることで、一対の蓋内フラップ１４のスムーズな開閉、ひいてはパッド本体２１のスムーズな昇降を実現できる。
【００４９】
図３に示すように、紐３１は、それぞれ蓋内フラップ１４に設けられた一方の第１貫通孔１４ａを外面から内面に貫通し、パッド本体２１に設けられこの第１貫通孔１４ａと対向する位置にある第２貫通孔２１ｄを上面から下面に貫通する。さらに、紐３１は、他方の第２貫通孔２１ｄを下面から上面に貫通し、蓋内フラップ１４に設けられた他方の第１貫通孔１４ａを内面から外面に貫通する。そして、紐３１の両端は蓋内フラップ１４の外面側で結ばれている。
【００５０】
このように構成すると、２箇所ある第１貫通孔１４ａと、これと対向する位置にある第２貫通孔２１ｄとの間は、同じ紐３１で結ばれているので、紐３１の張力が等しくなるように働き、蓋内フラップ１４を開けた際に、パッド本体２１の一対の第２貫通孔２１ｄ間が水平となるように持ち上げることができる。
【００５１】
なお、図３では、連結部材３を２本の紐３１で構成する場合を示しているが、連結部材３を１本の紐３１で構成し、４つの第１貫通孔１４ａ及び４つの第２貫通孔２１ｄを１本の紐３１で結ぶ構成とすることもできる。また、連結部材３を４本の紐３１で構成し、第１貫通孔１４ａと、これに対向する第２貫通孔２１ｄとをそれぞれ結ぶ構成とすることもできる。このように連結部材３を紐３１で結ぶ構成には、種々のバリエーションが想定できる。
【００５２】
紐３１の長さは、蓋内フラップ１４を開いた際に、パッド本体２１が所望の高さまで上昇する長さとなるように決定できる。一方、蓋内フラップ１４を閉じた際のパッド本体２１の高さは、蓋内フラップ１４が延出する幅面パネル１２の上縁から第１貫通孔１４ａまでの距離により決定される。
【００５３】
＜箱体の機能＞
当該箱用シートセットを組み立ててなる箱体４の蓋内フラップ１４を開閉すると、パッド２が昇降する。その機能について説明する。
【００５４】
蓋内フラップ１４を完全に閉じた状態を図４に示す。蓋内フラップ１４が閉じている場合、蓋内フラップ１４の第１貫通孔１４ａと、箱体４の底部４２との距離が、紐３１の長さ（第１貫通孔１４ａと、これと対向する位置にある第２貫通孔２１ｄとの間の長さ）より短くなるため、パッド本体２１は底部４２に支持されて、底部４２と平行に着底する。このとき、パッド本体２１と箱体４の蓋部４１との間には十分に空間があるので、パッド本体２１の上面に内容物を収納することができる。
【００５５】
蓋内フラップ１４を完全に開いた状態を図５に示す。蓋内フラップ１４を開くと、第１貫通孔１４ａが幅面パネル１２よりもさらに外側に位置することになる。第１貫通孔１４ａから延びる紐３１は、幅面パネル１２の上縁を経て、パッド本体２１の第２貫通孔２１ｄに至ることになる。この場合、第１貫通孔１４ａから幅面パネル１２の上縁を経て底部４２に至る距離より、紐３１の長さの方が短くなるため、パッド本体２１は箱体４の中で宙吊りとなる。その高さは、紐３１の長さによる。また、それぞれの第１貫通孔１４ａと、これと対向する位置にある第２貫通孔２１ｄとの間の距離が等しくなるように紐３１の長さを調整しておくことで、パッド本体２１は、この宙吊りの状態でも底部４２と平行な状態を保てる。
【００５６】
蓋内フラップ１４を完全に閉じた状態（図４）から完全に開いた状態（図５）へ移行すると、その過程でパッド本体２１は底部４２から離床し、徐々にせり上がって行くことになる。箱体４に梱包された内容物がギフト用商品である場合、このギフト商品を受け取り、箱体４を開封する使用者に対し、開封すると中からパッド本体２１の上面に載置されたギフト商品がせり上がってくるという演出を図ることができる。さらに、図３に示すように、蓋内フラップ１４の内面側に、光スイッチで音楽がなるオルゴールチップ１４ｂを貼付しておくと、開封と同時に音楽が流れ、演出効果を高めることができる。
【００５７】
蓋内フラップ１４を完全に開いた状態（図５）から完全に閉じた状態（図４）へ移行する場合は、上述とは逆に、宙づりであったパッド本体２１が降下し、底部４２に着床することになる。図４のように、着床した状態で紐３１にゆとり（弛み）がある場合、蓋内フラップ１４が完全に閉じるよりもパッド本体２１が着床する方が早いため、蓋内フラップ１４がパッド本体２１の上面に載置された内容物と干渉することもなく、内容物を箱体４の内部に収容することができる。内容物はパッド本体２１の上面に載置すればよいだけであるため、その形状は問われない。
【００５８】
＜利点＞
当該箱用シートセットは、箱用シート１を組み立ててなる箱体４の内部にパッド２が配置され、パッド本体２１が箱用シート１の底部４２に平行に配置される。また、当該箱用シートセットは、パッド２が連結部材３により一対の蓋内フラップ１４に連結され、蓋内フラップ１４の開閉に応じてパッド２が昇降するように構成されている。従って、当該箱用シートセットを用いることで、パッド本体２１上に載置した任意の内容物を、箱体４の開封時に安定してせり上げることができる。
【００５９】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６０】
上記実施形態では、箱用シートの底部を形成する底フラップが４枚である場合を説明したが、底部が形成できる限り底フラップの枚数は限定されず、また具体的な構成も限定されるものではない。例えば一方の長さ面パネルの下縁から延出する１つの底フラップによって底部が形成されてもよい。
【００６１】
上記実施形態では、パッド本体が方形状である場合を説明したが、パッド本体の形状は方形に限定されず、例えば楕円形状等の他の形状であってもよい。
【００６２】
また、上記実施形態では、パッドが、パッド本体の対向する他の一対の側縁から延出し、上方へ折り曲げられる一対の摺動片を有する場合を説明したが、摺動片は必須の構成要素ではなく、省略可能である。摺動片に代えて他の一対の側縁を一対の長さ面パネルに当接するように構成してもよい。
【００６３】
上記実施形態では、パッド本体の大きさが箱体の底部と等しい場合を説明したが、箱体の底部より小さいパッド本体を用いることもできる。
【００６４】
上記実施形態では、蓋内フラップが、その先端部に紐を貫通させる一対の第１貫通孔を有し、上記一対の第１貫通孔が上記蓋内フラップの先端縁に平行に配置されており、パッド本体が、配置状態において、上記蓋内フラップに隣接する側の端部にそれぞれ上記一対の第１貫通孔と平行に配置される一対の第２貫通孔を有する場合を説明したが、紐を貫通させる貫通孔の構成は、パッド本体が蓋内フラップの開閉により昇降する限り、これに限定されるものではない。例えば蓋内フラップに１つの第１貫通孔を設け、この第１貫通孔から一対の第２貫通孔にそれぞれ紐が架け渡されるような構成とすることもできる。この場合、それぞれの紐の長さが等しくなるように、第１貫通孔は、一対の第２貫通孔間を結ぶ直線の垂直二等分線上に位置するとよい。
【００６５】
上記実施形態では、長さ面パネルに当接する摺動片を有する場合を説明したが、摺動片は幅面パネルに当接するように設けられてもよく、長さ面パネル及び幅面パネルの両方に当接するようにパッド本体の全側縁から延出するように設けられてもよい。また、摺動片を有さないパッドも本考案の意図するところである。
【００６６】
上記実施形態では、連結部材が紐である場合を説明したが、連結部材は紐に限定されるものではない。例えば連結部材を段ボールとしてもよい。図６から図８に示す箱用シートセットは、連結部材が段ボールで構成されている例である。
【００６７】
図６及び図７に示す箱用シートセットは、１枚のシート材から形成され、図８に示す箱体４に組立可能な箱用シート５と、箱体４の内部に配置されるパッド６と、箱体４及びパッド６を連結する連結部材７とを備え、箱用シート５が、左右方向に交互に連接され、四角筒状に組み立てられる一対の長さ面パネル１１及び一対の幅面パネル１２と、一対の長さ面パネル１１の上縁から延出する一対の蓋外フラップ１３と、一対の幅面パネル１２の上縁から延出し、連結部材７が連結される一対の蓋内フラップ１４と、底部４２を形成する複数（４枚）の底フラップ（一対の長さ面パネル１１の下縁から延出する一対の底外フラップ１５、及び一対の幅面パネル１２の下縁から延出する一対の底内フラップ１６）とを有し、パッド６が、箱体４の内部に配置された配置状態において底部４２と平行に配置されるパッド本体６１を有し、蓋内フラップ１４の開閉により昇降する。
【００６８】
箱用シート５の各構成要素は、蓋内フラップ１４が有する第１貫通孔１４ａに代えて切込片１４ｃを有する点以外は、第１実施形態の箱用シート１と同様に構成できるので、同一番号を付し詳細説明を省略する。
【００６９】
蓋内フラップ１４は、その先端部に後述する連結部材７の一部を構成する差込片７２を挿入させる一対の切込片１４ｃを有する。一対の切込片１４ｃは、蓋内フラップ１４の先端縁に平行に配置されている。切込片１４ｃは、図６に示すように、蓋内フラップ１４の延出方向を長手方向とする丸め長方形と、この丸め長方形の蓋内フラップ１４の左右方向外側の長辺から蓋内フラップ１４の左右方向外側へ延出する長方形を組み合わせた鍵穴状を呈している。つまり、延出する上記長方形の幅は、上記丸め長方形の幅（長辺）よりも短い。また、上記丸め長方形の蓋内フラップ１４の左右方向内側の長辺は、折り曲げ容易線で構成されており、上記丸め長方形の丸め部分及び切込片１４ｃの他の辺は、切断線で構成されている。
【００７０】
パッド６は、図７に示すように、上述のパッド本体６１に加え、パッド本体６１の上縁及び下縁から上下方向（図７のｙ方向）にそれぞれ延出する一対の支持片６２を有する。パッド本体６１は、円形状のステージ６１ａと、このステージ６１ａからパッド６の左右方向（図７のｘ方向）両端から延出する方形状の一対の接続片６１ｂとを有する。一対の支持片６２は、ステージ６１ａ及び一対の接続片６１ｂと接しており、パッド本体６１と一対の支持片６２とは、全体で方形状を呈している。また、一対の接続片６１ｂに折り曲げ容易線を介して連結されているが、ステージ６１ａとは連結していない。
【００７１】
連結部材７は、パッド６の一対の支持片６２の左右方向の両側縁からそれぞれ延出している。つまり、連結部材７は、パッド６の左右方向両側に折り曲げ容易線を介してそれぞれ一対ずつ配設されている。当該箱用シートセットでは、連結部材７は、パッド６と一体的に構成されている。連結部材７は、パッド６の基端側に位置する連結部本体７１と、連結部本体７１の先端から延出する差込片７２とを有する。差込片７２は、図７に示すように、先端部が拡幅しており、その幅は、蓋内フラップ１４の切込片１４ｃの丸め長方形の幅と同等である。
【００７２】
当該箱用シートセットでは、図８に示すように、パッド本体６１に対して支持片６２が斜め下方外側に折り曲げられ、パッド本体６１、特にステージ６１ａを下方から支持する。また、連結部材７は、支持片６２に対して垂直方向上側、つまり箱体４の底部４２に対して斜め上方外側に折り曲げられる。この状態において、連結部材７の差込片７２は、蓋内フラップ１４の切込片１４ｃと重なるように構成されており、切込片１４ｃの切込に差し込むことができる。このとき、連結部材７の拡幅している部分は、切込片１４ｃの丸め長方形の部分は通過可能であるが、それより幅が狭い長方形の部分は通過できないように構成されている。従って、連結部材７の先端部は蓋内フラップ１４の切込片１４ｃに固定される。
【００７３】
上述のように連結部材７の先端部が蓋内フラップ１４の切込片１４ｃに固定されているので、蓋内フラップ１４の開閉により連結部材７が連動して上下動する。この連結部材７の上下動によりパッド本体６１が底部４２と平行に位置した状態で昇降する。
【産業上の利用可能性】
【００７４】
以上のように、本考案の箱用シートセットを用いることで、任意の形状の内容物を、箱体の開封時に安定してせり上げることができる。
【符号の説明】
【００７５】
１、５  箱用シート
１１  長さ面パネル
１２  幅面パネル
１３  蓋外フラップ
１４  蓋内フラップ
１４ａ  第１貫通孔
１４ｂ  オルゴールチップ
１４ｃ  切込片
１５  底外フラップ
１６  底内フラップ
１７  糊代部
２、６  パッド
２１  パッド本体
２１ａ  一対の側縁
２１ｂ  他の一対の側縁
２１ｃ  凹部
２１ｄ  第２貫通孔
２２  摺動片
６１  パッド本体
６１ａ  ステージ
６１ｂ  接続片
６２  支持片
３、７  連結部材
３１  紐
７１  連結部本体
７２  差込片
４  箱体
４１  蓋部
４２  底部
【図１】
0003231134.tif 000003
【図２】
0003231134.tif 000004
【図３】
0003231134.tif 000005
【図４】
0003231134.tif 000006
【図５】
0003231134.tif 000007
【図６】
0003231134.tif 000008
【図７】
0003231134.tif 000009
【図８】
0003231134.tif 000010